【手続補正書】
【提出日】平成26年7月4日(2014.7.4)
【手続補正１】
【補正対象書類名】明細書
【補正対象項目名】発明の名称
【補正方法】変更
【補正の内容】
【発明の名称】情報提供システム、情報提供装置、情報提供方法、情報提供プログラム及び撮像装置
【手続補正２】
【補正対象書類名】明細書
【補正対象項目名】０００１
【補正方法】変更
【補正の内容】
【０００１】
本発明は、情報提供システム、情報提供装置、情報提供方法、情報提供プログラム及び撮像装置に関し、特に、ユーザにとって有益な情報を提供可能な情報提供システム、情報提供装置、情報提供方法、情報提供プログラム及び撮像装置に関するものである。
【手続補正３】
【補正対象書類名】明細書
【補正対象項目名】０００６
【補正方法】変更
【補正の内容】
【０００６】
本発明は、前述した事情に鑑みてなされたものであり、不特定多数の人物の関心事に応じた情報をユーザに提供可能な情報提供システム、情報提供装置、情報提供方法、情報提供プログラム及び撮像装置を提供することを目的としている。
【手続補正４】
【補正対象書類名】明細書
【補正対象項目名】０００８
【補正方法】変更
【補正の内容】
【０００８】
本発明の一態様の情報提供システムは、公衆通信網を介した通信により画像データを受信して記憶装置に保存し、前記記憶装置に保存された各画像データの中から複数の画像データを抽出し、当該抽出した複数の画像データに共通する特徴部分に係る第１の特徴情報を取得するように構成された外部装置と、前記公衆通信網を介して前記外部装置との通信を行うことが可能な通信部と、被写体を撮像して画像データを取得する撮像部と、前記撮像部により得られた画像データを表示可能な表示部と、前記撮像部により得られた画像データから第２の特徴情報を取得する特徴取得部と、前記外部装置との通信により得られた前記第１の特徴情報と、前記特徴取得部の処理により得られた前記第２の特徴情報と、を比較することにより、前記第１の特徴情報及び前記第２の特徴情報が類似しているか否かに関する比較結果を取得する特徴比較部と、前記第１の特徴情報及び前記第２の特徴情報が類似しているとの比較結果が前記特徴比較部により得られた場合に、前記撮像部により得られた画像データの前記外部装置への送信を促すガイド情報を前記表示部に表示させる表示制御部と、を具備する撮像装置と、を有する。
本発明の一態様の情報提供装置は、公衆通信網を介した通信により画像データを受信して記憶装置に保存し、前記記憶装置に保存された各画像データの中から抽出した複数の画像データに共通する特徴部分に係る第１の特徴情報を取得するように構成された情報提供装置において、前記公衆通信網を介し、被写体を撮像して画像データを取得する撮像装置から得られた該画像データに基づく第２の特徴情報を取得する特徴取得部と、前記第１の特徴情報と、前記特徴取得部の処理により得られた前記第２の特徴情報と、を比較することにより、前記第１の特徴情報及び前記第２の特徴情報が類似しているか否かに関する比較結果を取得する特徴比較部と、前記第１の特徴情報及び前記第２の特徴情報が類似しているとの比較結果が前記特徴比較部により得られた場合に、前記撮像部により得られた画像データの送信を促すガイド情報を前記撮像装置へ送信する送信部と、を有する。
本発明の一態様の情報提供方法は、公衆通信網を介して通信を行うことが可能な外部装置及び撮像装置を具備する情報提供システムにおける情報提供方法であって、前記外部装置が、前記公衆通信網を介した通信により画像データを受信して記憶装置に保存するステップと、前記外部装置が、前記記憶装置に保存された各画像データの中から複数の画像データを抽出するステップと、前記外部装置が、前記複数の画像データに共通する特徴部分に係る第１の特徴情報を取得するステップと、前記撮像装置の撮像部が、被写体を撮像して画像データを取得するステップと、前記撮像装置の特徴取得部が、前記撮像部により得られた画像データから第２の特徴情報を取得するステップと、前記撮像装置の特徴比較部が、前記公衆通信網を介して前記外部装置との通信を行うことにより得られた前記第１の特徴情報と、前記特徴取得部の処理により得られた前記第２の特徴情報と、を比較することにより、前記第１の特徴情報及び前記第２の特徴情報が類似しているか否かに関する比較結果を取得するステップと、前記撮像装置の表示制御部が、前記第１の特徴情報及び前記第２の特徴情報が類似しているとの比較結果が前記特徴比較部により得られた場合に、前記撮像部により得られた画像データの前記外部装置への送信を促すガイド情報を、前記撮像部により得られた画像データを表示可能な表示部に表示させるステップと、を有する。
本発明の一態様の情報提供プログラムは、公衆通信網を介した通信により画像データを受信して保存するための記憶装置を具備して構成された外部装置のコンピュータに、前記記憶装置に保存された各画像データの中から複数の画像データを抽出する工程と、前記複数の画像データに共通する特徴部分に係る第１の特徴情報を取得する工程と、を実行させ、前記公衆通信網を介して前記外部装置との通信を行うことが可能な通信部と、被写体を撮像して画像データを取得する撮像部と、前記撮像部により得られた画像データを表示可能な表示部と、を具備して構成された撮像装置のコンピュータに、前記撮像部により得られた画像データから第２の特徴情報を取得する工程と、前記外部装置との通信により得られた前記第１の特徴情報と、前記第２の特徴情報と、を比較することにより、前記第１の特徴情報及び前記第２の特徴情報が類似しているか否かに関する比較結果を取得する工程と、前記第１の特徴情報及び前記第２の特徴情報が類似しているとの比較結果が得られた場合に、前記撮像部により得られた画像データの前記外部装置への送信を促すガイド情報を前記表示部に表示する工程と、を実行させる。
【手続補正５】
【補正対象書類名】明細書
【補正対象項目名】０００９
【補正方法】変更
【補正の内容】
【０００９】
本発明における情報提供システム、情報提供装置、情報提供方法、情報提供プログラム及び撮像装置によれば、不特定多数の人物の関心事に応じた情報をユーザに提供することができる。
【手続補正６】
【補正対象書類名】特許請求の範囲
【補正対象項目名】全文
【補正方法】変更
【補正の内容】
【特許請求の範囲】
【請求項１】
公衆通信網を介した通信により画像データを受信して記憶装置に保存し、前記記憶装置に保存された各画像データの中から複数の画像データを抽出し、当該抽出した複数の画像データに共通する特徴部分に係る第１の特徴情報を取得するように構成された外部装置と、
前記公衆通信網を介して前記外部装置との通信を行うことが可能な通信部と、被写体を撮像して画像データを取得する撮像部と、前記撮像部により得られた画像データを表示可能な表示部と、前記撮像部により得られた画像データから第２の特徴情報を取得する特徴取得部と、前記外部装置との通信により得られた前記第１の特徴情報と、前記特徴取得部の処理により得られた前記第２の特徴情報と、を比較することにより、前記第１の特徴情報及び前記第２の特徴情報が類似しているか否かに関する比較結果を取得する特徴比較部と、前記第１の特徴情報及び前記第２の特徴情報が類似しているとの比較結果が前記特徴比較部により得られた場合に、前記撮像部により得られた画像データの前記外部装置への送信を促すガイド情報を前記表示部に表示させる表示制御部と、を具備する撮像装置と、
を有することを特徴とする情報提供システム。
【請求項２】
前記撮像装置は、
前記撮像部により得られた画像データを保存可能な記録部と、
前記第１の特徴情報と、前記特徴取得部の処理により前記記録部に保存されている画像データから取得された第３の特徴情報と、に基づいて前記記録部を検索することにより、前記第１の特徴情報及び前記第３の特徴情報が類似している画像データを検索結果として取得する画像検索部と、をさらに有し、
前記表示制御部は、前記画像検索部の検索結果として得られた画像データの前記外部装置への送信を促すガイド情報を前記表示部に表示させる
ことを特徴とする請求項１に記載の情報提供システム。
【請求項３】
公衆通信網を介した通信により画像データを受信して記憶装置に保存し、前記記憶装置に保存された各画像データの中から抽出した複数の画像データに共通する特徴部分に係る第１の特徴情報を取得するように構成された情報提供装置において、
前記公衆通信網を介し、被写体を撮像して画像データを取得する撮像装置から得られた該画像データに基づく第２の特徴情報を取得する特徴取得部と、
前記第１の特徴情報と、前記特徴取得部の処理により得られた前記第２の特徴情報と、を比較することにより、前記第１の特徴情報及び前記第２の特徴情報が類似しているか否かに関する比較結果を取得する特徴比較部と、
前記第１の特徴情報及び前記第２の特徴情報が類似しているとの比較結果が前記特徴比較部により得られた場合に、前記撮像部により得られた画像データの送信を促すガイド情報を前記撮像装置へ送信する送信部と、
を有することを特徴とする情報提供装置。
【請求項４】
公衆通信網を介して通信を行うことが可能な外部装置及び撮像装置を具備する情報提供システムにおける情報提供方法であって、
前記外部装置が、前記公衆通信網を介した通信により画像データを受信して記憶装置に保存するステップと、
前記外部装置が、前記記憶装置に保存された各画像データの中から複数の画像データを抽出するステップと、
前記外部装置が、前記複数の画像データに共通する特徴部分に係る第１の特徴情報を取得するステップと、
前記撮像装置の撮像部が、被写体を撮像して画像データを取得するステップと、
前記撮像装置の特徴取得部が、前記撮像部により得られた画像データから第２の特徴情報を取得するステップと、
前記撮像装置の特徴比較部が、前記公衆通信網を介して前記外部装置との通信を行うことにより得られた前記第１の特徴情報と、前記特徴取得部の処理により得られた前記第２の特徴情報と、を比較することにより、前記第１の特徴情報及び前記第２の特徴情報が類似しているか否かに関する比較結果を取得するステップと、
前記撮像装置の表示制御部が、前記第１の特徴情報及び前記第２の特徴情報が類似しているとの比較結果が前記特徴比較部により得られた場合に、前記撮像部により得られた画像データの前記外部装置への送信を促すガイド情報を、前記撮像部により得られた画像データを表示可能な表示部に表示させるステップと、
を有することを特徴とする情報提供方法。
【請求項５】
公衆通信網を介した通信により画像データを受信して保存するための記憶装置を具備して構成された外部装置のコンピュータに、
前記記憶装置に保存された各画像データの中から複数の画像データを抽出する工程と、
前記複数の画像データに共通する特徴部分に係る第１の特徴情報を取得する工程と、を実行させ、
前記公衆通信網を介して前記外部装置との通信を行うことが可能な通信部と、被写体を撮像して画像データを取得する撮像部と、前記撮像部により得られた画像データを表示可能な表示部と、を具備して構成された撮像装置のコンピュータに、
前記撮像部により得られた画像データから第２の特徴情報を取得する工程と、
前記外部装置との通信により得られた前記第１の特徴情報と、前記第２の特徴情報と、を比較することにより、前記第１の特徴情報及び前記第２の特徴情報が類似しているか否かに関する比較結果を取得する工程と、
前記第１の特徴情報及び前記第２の特徴情報が類似しているとの比較結果が得られた場合に、前記撮像部により得られた画像データの前記外部装置への送信を促すガイド情報を前記表示部に表示する工程と、を実行させる
ことを特徴とする情報提供プログラム。
【請求項６】
公衆通信網を介して外部装置との通信を行うことが可能な通信部と、
被写体を撮像して画像データを取得する撮像部と、
前記撮像部により得られた画像データを表示可能な表示部と、
前記撮像部により得られた画像データから特徴情報を取得する特徴取得部と、
前記外部装置との通信により得られた第１の特徴情報と、前記特徴取得部の処理により得られた第２の特徴情報と、を比較することにより、前記第１の特徴情報及び前記第２の特徴情報が類似しているか否かに関する比較結果を取得する特徴比較部と、
前記第１の特徴情報及び前記第２の特徴情報が類似しているとの比較結果が前記特徴比較部により得られた場合に、前記撮像部により得られた画像データの前記外部装置への送信を促すガイド情報を前記表示部に表示させる表示制御部と、
を有することを特徴とする撮像装置。
【請求項７】
前記撮像部により得られた画像データを保存可能な記録部と、
前記第１の特徴情報と、前記特徴取得部の処理により前記記録部に保存されている画像データから取得された第３の特徴情報と、に基づいて前記記録部を検索することにより、前記第１の特徴情報及び前記第３の特徴情報が類似している画像データを検索結果として取得する画像検索部と、をさらに有し、
前記表示制御部は、前記画像検索部の検索結果として得られた画像データの前記外部装置への送信を促すガイド情報を前記表示部に表示させる
ことを特徴とする請求項６に記載の撮像装置。
【請求項８】
前記第１の特徴情報は、前記外部装置に保存されている各画像データの中から、不特定多数の人物の関心を集めていると推定されるものとして抽出された複数の画像データに共通する特徴部分に係る情報であることを特徴とする請求項６または７に記載の撮像装置。